(57)【要約】【課題】荷紐により荷物を荷台に固定する作業及びその固定を解除し荷紐を元の状態に戻す作業が容易であると共に、荷紐におけるフックを備えた先端が荷台から垂れ下がって車輪のスポーク等の自転車の各部に絡み付くおそれがなく、荷紐が非使用時に日光、雨、雪等に直接晒されることがなく、荷紐が非使用時に外部から見えないようにした、自転車の荷紐を提供する。【解決手段】自転車には荷紐巻付けリールを回転自在に内設した荷紐収納ケース１５を備えさせ、該荷紐巻付けリールには荷紐１７を繰り出し及び繰り入れ自在に巻き付け、該荷紐におけるフックが取り付けられた先端を常時該荷紐収納ケースより外方に突出させ、該荷紐はばねにより常時該荷紐収納ケース内の荷紐巻付けリールに巻き付けられる方向に引かれていることを特徴とする自転車の荷紐。【選択図】図１
2017114354.tif 000002
【特許請求の範囲】
【請求項１】
自転車には荷紐巻付けリールを回転自在に内設した荷紐収納ケースを備えさせ、該荷紐巻付けリールには荷紐を繰り出し及び繰り入れ自在に巻き付け、該荷紐におけるフックが取り付けられた先端を常時該荷紐収納ケースより外方に突出させ、該荷紐はばねにより常時該荷紐収納ケース内の荷紐巻付けリールに巻き付けられる方向に引かれていることを特徴とする自転車の荷紐。
【請求項２】
前記荷紐収納ケースは自転車における荷台の下方に着脱自在に取り付けられていることを特徴とする請求項１に記載の自転車の荷紐。
【発明の詳細な説明】
【技術分野】
【０００１】
本発明は、自転車の荷紐に関するものであり、更に詳しくは、自転車の荷台に備えさせた荷紐に係るものである。
【背景技術】
【０００２】
例えば特開平８−２８２５６３号公報に示すように、自転車の荷台には、一般に、該荷台上に載置された荷物を固定するために、フックを備えた伸縮自在の荷紐（以下「従来の自転車の荷紐」という。）が取り付けられている。
【先行技術文献】
【特許文献】
【０００３】
【特許文献１】特開平８−２８２５６３号公報
【発明の概要】
【発明が解決しようとする課題】
【０００４】
しかるに、従来の自転車の荷紐においては、荷紐が常時外部に露出しているため、下記の問題が生じている。
（イ）荷紐におけるフックを備えた先端が荷台から垂れ下がって車輪のスポーク等の自転車の各部に絡み付くおそれがある。
（ロ）荷紐が非使用時にも日光、雨、雪等に直接晒されるため、該荷紐が短期間で劣化する。
（ハ）荷紐が非使用時にも外部から見えるため、体裁上好ましくない。
【０００５】
本発明は、従来の自転車の荷紐における上述の如き問題を解決し、荷紐により荷物を荷台に固定する作業及びその固定を解除し荷紐を元の状態に戻す作業が容易であると共に、荷紐におけるフックを備えた先端が荷台から垂れ下がって車輪のスポーク等の自転車の各部に絡み付くおそれがなく、荷紐が非使用時に日光、雨、雪等に直接晒されることがなく、荷紐が非使用時に外部から見えないようにした、自転車の荷紐を提供しようとしてなされたものである。  
【課題を解決するための手段】
【０００６】
上記課題を解決するために、本考案は、下記の自転車の荷紐を提供するものである。
【０００７】
（１）自転車には荷紐巻付けリールを回転自在に内設した荷紐収納ケースを備えさせ、該荷紐巻付けリールには荷紐を繰り出し及び繰り入れ自在に巻き付け、該荷紐におけるフックが取り付けられた先端を常時該荷紐収納ケースより外方に突出させ、該荷紐はばねにより常時該荷紐収納ケース内の荷紐巻付けリールに巻き付けられる方向に引かれていることを特徴とする自転車の荷紐（請求項１）。
【０００８】
（２）前記荷紐収納ケースは自転車における荷台の下方に着脱自在に取り付けられている（請求項２）。
【発明の効果】
【０００９】
[請求項１の発明]
自転車の荷台に載置した荷物を固定する際には、荷紐収納ケースより外方に突出している荷紐の先端をばねの力に抗して該荷紐収納ケースの外方に引き出し、該荷紐を荷台上の荷物に巻き掛け、該荷紐の先端のフックを荷台等の突起等に係止する。この状態においては、荷紐はばねの力により荷紐収納ケース内に戻る方向に引かれているため、荷台上の荷物は確実に固定される。また、荷物の固定を解除する際には、荷紐の先端のフックを荷台等の突起等から外し、該荷紐をばねの力により荷紐収納ケース内に戻す。このように、荷紐により荷物を荷台に固定する作業及びその固定を解除し荷紐を荷紐収納ケース内に戻すは極めて容易である。
【００１０】
荷紐はばねにより常時該荷紐収納ケース内の荷紐巻付けリールに巻き付けられる方向に引かれているため、非使用時には、荷紐は、フックが取り付けられた先端を除き、ほぼ全部が荷紐収納ケース内に収納されている。したがって、（ａ）荷紐が非使用時に垂れ下がって車輪のスポーク等の自転車の各部に絡み付くおそれがなく、（ｂ）荷紐が非使用時に日光、雨、雪等に直接晒されることがないため、該荷紐が短期間で劣化するおそれがなく、（ｃ）荷紐が非使用時に外部から見えないため、体裁上もこのましい、等の効果が発揮される。
【００１１】
[請求項２の発明]
荷紐収納ケースは自転車における荷台の下方に取り付けられているため、該荷紐収納ケースに対する荷紐の出し入れが容易であり、該荷紐収納ケースが外部から目立たないため、体裁上も好ましい。
また、荷紐収納ケースは荷台の下方に着脱自在に取り付けられるものであるため、既存の自転車に対する後付が可能である。
【図面の簡単な説明】
【００１２】
【図１】図１は、本発明による自転車の荷紐を自転車に備えさせた一例を示す平面図である。
【図２】図２は、同上の側面図である。
【図３】図３は、荷紐収納ケースの一例を示す断面図である。
【図４】図４は、同上の別の断面図である。
【発明を実施するための形態】
【００１３】
符号１に示すものは自転車、符号３に示すものは自転車１の荷台、符号５、７に示すものは荷台支持脚、符号９に示すものは車輪、符号１１に示すものはサドルである。
【００１４】
自転車１には荷紐巻付けリール１３を内設した荷紐収納ケース１５を備えさせる。荷紐巻付けリール１３には荷紐１７を繰り出し及び繰り入れ自在に巻き付ける。荷紐巻付けリール１３は、荷紐収納ケース１５内に突設した支軸１９を回転中心として回転自在である。
【００１５】
荷紐１７におけるフック２１が取り付けられた先端１７ａを常時荷紐収納ケース１５より外方に突出させる。すなわち、荷紐収納ケース１５における一部に透孔２３を形成し、該透孔２３を通って荷紐１７が荷紐収納ケース１５から出入り自在とする。
【００１６】
図示の事例においては、荷紐収納ケース１５は、上端２５を開口した円筒状のケース本体１５ａと該上端２５に着脱自在に嵌着した蓋部１５ｂとよりなる。この事例においては、蓋部１５ｂを取り外したときには、荷紐収納ケース１５の内部に手が届く。
【００１７】
荷紐１７はばね２７により常時荷紐収納ケース１５内の荷紐巻付けリール１３に巻き付けられる方向に引かれている。図３に示す事例においては、ばね２７としてゼンマイばねを用いている。すなわち、一例として、ばね２７の基端２７ａを支軸１９に設けた切欠部１９ａに固定し、該ばね２７を渦巻状に巻き、該ばね２７の先端２７ｂを荷紐巻付けリール１３に形成した透孔２９を通して荷紐巻付けリール１３の外方に出し、該先端２７ｂを荷紐１７の基端１７ｂに固定する。この事例においては、荷紐収納ケース１５より外方に突出している荷紐１７の先端１７ａをばね２７の力に抗して該荷紐収納ケース１５の外方に引いたときには、該ばね２７は変形し、荷紐１７を荷紐収納ケース１５内に戻す方向に常時力を及ぼす。したがって、荷紐１７を荷紐収納ケース１５の外方に引く力を解除したときには、荷紐１７はばね２７の力により荷紐収納ケース１５内に入り、荷紐巻付けリール１３に巻き付けられる。
【００１８】
荷紐収納ケース１５は、自転車１における荷台３の下方に着脱自在に取り付けられる。
【００１９】
荷紐収納ケース１５は、荷台３の下部に水平方向に取り付けてもよいが、 図２における鎖線１５’、１５’’に示すように、荷台３の下方に上下方向に取り付けても良い。鎖線１５’に示すに荷紐収納ケース１５は荷台支持脚５に取り付けられている。鎖線１５’’ に示すに荷紐収納ケース１５は別の荷台支持脚７に取り付けられている。
【００２０】
図１、図３、図４における符号３１は、荷紐収納ケース１５を荷台３に取り付ける取付手段の一例を示す。取付手段３１は、板状部３３と複数の挿通孔３５、３５・・・とを備えている。板状部３３上には荷紐収納ケース１５を取り付ける。各挿通孔３５には荷台３の構成部材３ａ、３ｂを挿通する。
【符号の説明】
【００２１】
１  自転車
３  荷台
３ａ  構成部材
３ｂ  構成部材
５  荷台支持脚
７  荷台支持脚
９  車輪
１１  サドル
１３  荷紐巻付けリール
１５  荷紐収納ケース
１５ａ  ケース本体
１５ｂ  蓋部
１７  荷紐
１７ａ  先端
１７ｂ  基端
１９  支軸
１９ａ  切欠部
２１  フック
２３  透孔
２５  上端
２７  ばね
２７ａ  基端
２７ｂ  先端
２９  透孔
３１  取付手段
３３  板状部
３５  挿通孔
【図１】
2017114354.tif 000003
【図２】
2017114354.tif 000004
【図３】
2017114354.tif 000005
【図４】
2017114354.tif 000006